(57)【要約】【課題】  経済性、省資源性に優れた磁気健康具及びその製造方法を提供する。【解決手段】  使用済み磁気カード１に複数本の細幅スリット２を、相互に平行状として、かつ、使用済み磁気カード１の外周縁部１ａを残して貫設し、さらに、スリット２と直交する方向に複数本のマグネット帯片を、スリットにて各マグネット帯片が分断状となるように、使用済み磁気カード１に積層一体状に付設して形成された可撓枚葉片４と、可撓枚葉片４を収納保持するための袋部５を有すると共に身体Ｂに着用する着用体６と、を備える。【選択図】  図６
2006043228.tif 000002
【特許請求の範囲】
【請求項１】
使用済み磁気カード（１）に複数本の細幅スリット（２）を、相互に平行状として、かつ、該使用済み磁気カード（１）の外周縁部（１ａ）を残して貫設し、さらに、該スリット（２）と直交する方向に複数本のマグネット帯片（３）を、該スリット（２）にて各該マグネット帯片（３）が分断状となるように、上記使用済み磁気カード（１）に積層一体状に付設して形成された可撓枚葉片（４）と、
該可撓枚葉片（４）を収納保持するための袋部（５）を有すると共に身体（Ｂ）に着用する着用体（６）と、
を備えたことを特徴とする磁気健康具。
【請求項２】
上記使用済み磁気カード（１）は、元の半分に分断されたものが使用されている請求項１記載の磁気健康具。
【請求項３】
使用済み磁気カード（１）に相互に平行状として、複数本のマグネット帯片（３）を、積層一体状に付設し、  
該マグネット帯片（３）が付設された該使用済み磁気カード（１）に、各該マグネット帯片（３）と直交する方向に相互に平行状として複数本の細幅スリット（２）を、該使用済み磁気カード（１）の外周縁部（１ａ）を残して貫設して各該マグネット帯片（３）が分断した可撓枚葉片（４）を形成し、
該可撓枚葉片（４）を、身体（Ｂ）に着用する着用体（６）の袋部（５）に収納保持させることを特徴とする磁気健康具の製造方法。
【発明の詳細な説明】
【技術分野】
【０００１】
本発明は、磁気健康具及びその製造方法に関する。
【背景技術】
【０００２】
近年、例えば鉄道の定期券等に使用される磁気カードが多用されている。これらの磁気カードは、使用済みとなった場合、一般に投棄処分となっている。これにより、磁気カードの投棄物が多く発生しているので、省資源の面からこれら使用済みの磁気カードの再利用が望まれている。
そこで、従来、使用済みの磁気カードを再利用するために種々の方法が提案されている（例えば、特許文献１参照）。  
特許文献１では、使用済み磁気カードを細かく粉砕して、ごみ袋用の材料として再利用する方法が開示されている。
【０００３】
ところで、適度な強度を有する磁気には、血行を促進し、筋肉のコリを緩和する作用があることが広く知られている。そのため、従来では、磁石の磁気を利用する種々の磁気健康具が提案されている（例えば、特許文献２参照）。
この特許文献２では、ガードル及びブリーフに専用の磁石を多数埋め込むことによって、腰の血行を促進すると共に筋肉のコリを緩和する磁気健康具が開示されている。
【特許文献１】特開平１１−１１５０２９号公報
【特許文献２】特開２００３−１４７６０１号公報
【発明の開示】
【発明が解決しようとする課題】
【０００４】
しかしながら、上記特許文献１に開示された方法では、磁気カードが帯びた磁気を有効に再利用できていないという問題点があった。
また、上記特許文献２に開示された磁気健康具では、専用の磁石を多数使用しているので、その分、部品コストや製造コストが増加するという問題点があった。
そこで、本発明は、経済性、省資源性に優れた磁気健康具及びその製造方法を提供することを目的とする。
【課題を解決するための手段】
【０００５】
上記の目的を達成するために、本発明に係る磁気健康具は、使用済み磁気カードに複数本の細幅スリットを、相互に平行状として、かつ、該使用済み磁気カードの外周縁部を残して貫設し、さらに、該スリットと直交する方向に複数本のマグネット帯片を、該スリットにて各該マグネット帯片が分断状となるように、上記使用済み磁気カードに積層一体状に付設して形成された可撓枚葉片と、該可撓枚葉片を収納保持するための袋部を有すると共に身体に着用する着用体と、を備えたものである。                                また、上記使用済み磁気カードは、元の半分に分断されたものが使用されている。
【０００６】
また、本発明に係る磁気健康具の製造方法は、使用済み磁気カードに相互に平行状として、複数本のマグネット帯片を、積層一体状に付設し、該マグネット帯片が付設された該使用済み磁気カードに、各該マグネット帯片と直交する方向に相互に平行状として複数本の細幅スリットを、該使用済み磁気カードの外周縁部を残して貫設して各該マグネット帯片が分断した可撓枚葉片を形成し、該可撓枚葉片を、身体に着用する着用体の袋部に収納保持させるものである。
【発明の効果】
【０００７】
本発明に係る磁気健康具によれば、使用済み磁気カードを再利用するので、省資源性に優れた磁気健康具とすることができる。
また、磁気健康具の部品コスト及び製造コストを削減することができる。
また、可撓枚葉片の磁気をより有効に利用することができる。
また、着用体の袋部に可撓枚葉片を収納保持させる際に、可撓枚葉片が使用済み磁気カードの外周縁部の部分で袋部に容易に引っ掛からないようにすることができる。
また、磁気カード及びマグネット帯片から発せられる磁気の磁力線を、血行促進作用・筋肉のコリの緩和作用を得るのに適切な方向に設定することができる。
また、着用体の袋部に収納保持させる各可撓枚葉片が、身体の患部に対して適切な大きさとなるように形成することができる。
【０００８】
また、本発明に係る磁気健康具の製造方法によれば、使用済み磁気カードを使用して、血行促進作用・筋肉のコリの緩和作用を得るのに必要な磁気強度を有する磁気健康具を、容易に製造することができる。
【発明を実施するための最良の形態】
【０００９】
以下、実施の形態を示す図面に基づき、本発明を詳説する。
図１は、本発明の実施の一形態を示す磁気健康具を人が身に付けた図であり、図２〜図５は、人の身体の各部に着用される各磁気健康具を示す斜視図・正面図である。
本発明に係る磁気健康具20は、図１に示すように、身体Ｂの各部に着用して、磁気によって患部の血行を促進し、筋肉のコリを緩和させるものである。この磁気健康具20には、例えば手首部ａ（又は、肘部、足首部、膝部等）に使用される四肢用磁気健康具10や、腰部ｂに使用される腰用磁気健康具11や、胴体部ｃに使用される胴体用磁気健康具12や、足先部ｄに使用される足先用磁気健康具13等、多くの種類が存在する。これらの磁気健康具20…は夫々、図１〜図５に示すように、可撓枚葉片４と、可撓枚葉片４を収納保持するための袋部５を有すると共に身体Ｂに着用する着用体６と、を備えている。
【００１０】
図６は、本発明に係る可撓枚葉片の斜視図であり、図７は、その断面側面図である。
可撓枚葉片４は、使用済み磁気カード１と、相互に平行状となるように使用済み磁気カード１に積層一体状に付設された複数本のマグネット帯片３…と、を有している。
使用済み磁気カード１には種々の磁気カードが利用されるが、その中でも、例えば鉄道の定期券に使用され、磁気を有する部分が全面となっているプリペイド式カードが好適である。
また、例えば鉄道の定期券に使用される全面磁気のプリペイド式カードは、一般的に、しなやかに弯曲する材料で形成されており、身体Ｂにフィットさせやすいという利点がある。
また、使用済み磁気カード１は、元の半分に分断されたものを使用するのが好ましい。  また、使用済み磁気カード１は、隅部が面取りとなったものを使用するのが好ましい。この場合、着用体６の袋部５に引っ掛かりにくい可撓枚葉片４を、容易に形成することができる。
【００１１】
使用済み磁気カード１には、使用済み磁気カード１の外周縁部１ａを残して、相互に平行状の複数本の細幅スリット２…が貫設されている。このスリット２…は、複数本のマグネット帯片３…と直交する方向に延び、かつ、各マグネット帯片３がスリット２…にて分断状となるように形成されている。
マグネット帯片３…は、図７に示すように、使用済み磁気カード１の片面に、粘着層30によって付設されている。このマグネット帯片３…は、例えばゴム磁石により形成されている。ゴム磁石は、容易に弯曲させることができるので、身体Ｂにフィットさせやすい可撓枚葉片４を形成することができる。また、マグネット帯片３…は、磁気強度が例えば 300ガウス程度のものを使用するのが好ましい。
なお、マグネット帯片３…に使用される磁石の種類は、ゴム磁石に限るのではなく、他の種類のものを使用するも自由である。例えば、磁気強度が強いネオジム磁石を使用するも好ましい。
【００１２】
着用体６は、伸縮性のある生地で作られており、身体Ｂに着用されている間は身体Ｂに密着するようになっている。図２、図４及び図５に示した磁気健康具20…（四肢用磁気健康具10、胴体用磁気健康具12、足先用磁気健康具13）に於ては、着用体６を引き伸ばして内径を広げることによって、磁気健康具20の身体Ｂに対する着脱が行われる。
【００１３】
また、可撓枚葉片４を収納保持するための袋部５は、着用体６の身体Ｂと対向する側に設けられている。着用体６の身体Ｂと対向する側に袋部５を設けるのは、可撓枚葉片４をより身体Ｂに接近させて、可撓枚葉片４が有する磁気を有効に利用するためである。
袋部５は、例えば１辺に開口部５ａを有する矩形状に形成されている（図２及び図３参照）。即ち、この開口部５ａから可撓枚葉片４を交換自在としている。これにより、磁気健康具20の長期間の使用により可撓枚葉片４の磁気強度が低下した場合にも、容易に別の可撓枚葉片４と取り替えることが可能となっている。
【００１４】
なお、袋部５は、矩形状に限るものでなく、可撓枚葉片４が袋部５内で大きく移動しないような形状であれば、どのような形状とするも自由である。また、袋部５は、１辺に開口部５ａを有する形状に限定されるものではない。例えば、図11に示すように、袋部５の周縁を全て縫合するも好ましい。この場合、激しく身体Ｂを動かしたとしても可撓枚葉片４が袋部５から脱落するのを防止することができる。また、開口部５ａを覆うと共に開閉自在とされた蓋部を設けるも好ましい（図示省略）。このようにすれば、激しく身体Ｂを動かしたとしても可撓枚葉片４が袋部５から脱落するのを防止することができると共に、蓋部を開けて別の可撓枚葉片４と容易に取り替えることができる。
また、１つの袋部５に複数枚の可撓枚葉片４を収納することも可能である。
また、袋部５を、着用体６に対して独立して移動できるように構成すれば、患部の状況に合わせて、着用体６に対する配設位置を変更することが可能となる。例えば、袋部５を着用体６に対して面状ファスナにより着脱自在とすればよい。
【００１５】
図１及び図３に示した腰部ｂに着用する腰用磁気健康具11は、図２、図４及び図５に示した磁気健康具20…と異なり、着用する際、身体Ｂに巻き付けるタイプとなっている。この腰用磁気健康具11は、帯状であり、両端部には、面状ファスナ部７, ７が形成されている。そして、一方の面状ファスナ部７と他方の面状ファスナ部７とを身体Ｂの前面で重ね合わせることによって、腰用磁気健康具11は腰部ｂの位置に固定されるように形成されている。この腰用磁気健康具11のように、磁気健康具20の身体Ｂへの取付け方法に面状ファスナ方式を採用すれば、身体Ｂの大きさが異なる多数の人に容易に磁気健康具20の寸法を合わせることができる。
なお、腰用磁気健康具11では面状ファスナ方式を採用したが、磁気健康具20の身体Ｂへの取付け方法は、この方式に限るものではなく、ボタン・ファスナ等によって固定する方式を採用するも自由である。
【００１６】
次に、図２、及び、図８〜図10を参照して、本発明に係る磁気健康具20の製造方法について説明する。
まず、図８に示すような（隅部が面取りされた）使用済み磁気カード１に、相互に平行状として、複数本のマグネット帯片３…を、積層一体状に付設する（図９参照）。
次に、マグネット帯片３…が付設された使用済み磁気カード１を、マグネット帯片３…に平行状となる中心線Ｘ−Ｘにて２つ（元の半分ずつ）に分断する。この際、分断された使用済み磁気カード１ｂ, １ｃの分断された側の隅部は、面取りをする（図10の符号Ｒ）。
【００１７】
そして、図10に示すように、マグネット帯片３…が付設されると共に元の半分に分断された２つの使用済み磁気カード１ｂ, １ｃに、夫々、複数本の細幅スリット２…を貫設する。この際、スリット２…の貫設は、各マグネット帯片３と直交する方向に相互に平行状となるようにして、かつ、使用済み磁気カード１の外周縁部１ａを残すようにして、さらに、各マグネット帯片３がスリット２…にて分断されるようにして、行う。
そして、上記の工程により形成された可撓枚葉片４を、図２に示すように、着用体６の（あらかじめ形成した）袋部５に収納保持させる。
以上の工程により磁気健康具20が製造される。
【００１８】
以上のように、本発明に係る磁気健康具によれば、使用済み磁気カード１に複数本の細幅スリット２…を、相互に平行状として、かつ、使用済み磁気カード１の外周縁部１ａを残して貫設し、さらに、スリット２…と直交する方向に複数本のマグネット帯片３…を、スリット２…にて各マグネット帯片３が分断状となるように、使用済み磁気カード１に積層一体状に付設して構成された可撓枚葉片４と、可撓枚葉片４を収納保持するための袋部５を有すると共に身体Ｂに着用する着用体６と、を備えるので、使用済み磁気カード１をすぐに投棄処分とすることなく、再利用することができる。これにより、省資源性に優れた磁気健康具とすることができる。また、血行促進作用・筋肉のコリの緩和作用を得るのに必要な磁気強度を、マグネット帯片３…の磁気に、使用済み磁気カード１の磁気を加えることによって得ることができる。これにより、磁性部材として多数の専用の磁石のみを使用する場合と比較して、磁石の使用量を削減することができる。その結果、磁気健康具の部品コスト及び製造コストを削減することができる。
【００１９】
また、使用済み磁気カード１に相互に平行状とした複数本の細幅スリット２…を貫設することによって、使用済み磁気カード１を容易に弯曲させることができる。これにより、可撓枚葉片４を容易に身体Ｂに密着させることができる。その結果、可撓枚葉片４の磁気をより有効に利用することができる。
また、使用済み磁気カード１に複数本の細幅スリット２…を使用済み磁気カード１の外周縁部１ａを残して貫設することによって、使用済み磁気カード１のうち、磁気が比較的強い外周縁部１ａを有効利用することができる。また、外周縁部１ａに切欠が生じないので、着用体６の袋部５に可撓枚葉片４を収納保持させる際に、可撓枚葉片４が使用済み磁気カード１の外周縁部１ａの部分で袋部５に容易に引っ掛からないようにすることができる。
【００２０】
また、スリット２…と直交する方向に複数本のマグネット帯片３…を、スリット２…にて各マグネット帯片３が分断状となるように、使用済み磁気カード１に積層一体状に付設することによって、スリット２…を設けない場合と比較して、磁力線（図７の符号Ｗ）を、血行促進作用・筋肉のコリの緩和作用を得るのに適切な密度と深さ（身体Ｂへの磁力線Ｗの浸透深さ）に設定することができる。
【００２１】
また、使用済み磁気カード１として、元の半分に分断されたものを使用することによって、着用体６の袋部５に収納保持させる各可撓枚葉片４が、身体Ｂの患部に対して適切な大きさとなるように形成することができる。
【００２２】
また、本発明に係る磁気健康具の製造方法は、使用済み磁気カード１に相互に平行状として、複数本のマグネット帯片３…を、積層一体状に付設し、マグネット帯片３…が付設された使用済み磁気カード１に、各マグネット帯片３と直交する方向に相互に平行状として複数本の細幅スリット２…を、使用済み磁気カード１の外周縁部１ａを残して貫設して各マグネット帯片３が分断した可撓枚葉片４を形成し、可撓枚葉片４を、身体Ｂに着用する着用体６の袋部５に収納保持させるので、使用済み磁気カード１を使用して、血行促進作用・筋肉のコリの緩和作用を得るのに必要な磁気強度を有する磁気健康具を、容易に製造することができる。また、使用済み磁気カード１の外周縁部１ａは、磁気が比較的強い部位であるので、ここを残すことは好ましい。
【図面の簡単な説明】
【００２３】
【図１】本発明の実施の一形態を示す磁気健康具を人が身に付けた図である。
【図２】手首部及び足首部に使用される磁気健康具の斜視図である。
【図３】腰部に使用される磁気健康具の正面図である。
【図４】胴体部に使用される磁気健康具の正面図である。
【図５】足先部に使用される磁気健康具の正面図である。
【図６】本発明に係る可撓枚葉片の斜視図である。
【図７】断面側面図である。
【図８】使用済み磁気カードを示す斜視図である。
【図９】マグネット帯片が使用済み磁気カードに付設された状態を示す斜視図である。
【図１０】マグネット帯片が付設された使用済み磁気カードが分断され、スリットが貫設された状態を示す斜視図である。
【図１１】磁気健康具の袋部を示す正面図である。
【符号の説明】
【００２４】
１  使用済み磁気カード
１ａ  外周縁部
２  スリット
３  マグネット帯片
４  可撓枚葉片
５  袋部
６  着用体
Ｂ  身体
【図１】
2006043228.tif 000003
【図２】
2006043228.tif 000004
【図３】
2006043228.tif 000005
【図４】
2006043228.tif 000006
【図５】
2006043228.tif 000007
【図６】
2006043228.tif 000008
【図７】
2006043228.tif 000009
【図８】
2006043228.tif 000010
【図９】
2006043228.tif 000011
【図１０】
2006043228.tif 000012
【図１１】
2006043228.tif 000013